(57)【要約】      （修正有）【課題】パレット上に積み上げた多数個のダンボール箱等からなる被梱包物を一人の作業員が斜め方向へ襷掛けに巻き回すと共に、梱包バンドの面上に設けている係着部同士を圧着させて被梱包物を一挙に手早く梱包し、係着部同士の圧着を外して梱包を開放し、梱包バンドを繰返し再使用する。【解決手段】ゴム材製の梱包バンド１は、適所に種々の形態を有する肉盗み穴３が打ち抜かれており、被梱包物のサイズに応じて適当な長さに切断し、梱包バンド１の一端部に多数個の係止突起５を列設すると共に梱包バンド１の重ね合わせ部位に係止突起５を強嵌する多数個の係止孔６を穿孔した。  【選択図】図１
0003130676.tif 000002
【実用新案登録請求の範囲】
【請求項１】
ゴム材製の梱包バンド１は、適所に種々の形態を有する肉盗み穴３ガ打ち抜かれており、被梱包物のサイズに応じて適当な長さに切断し、梱包バンド１の一端部に多数個の係止突起５を列設すると共に梱包バンド１の重ね合わせ部位に係止突起５を強嵌する多数個の係止孔６を穿孔し、巻物形態の梱包バンド１の末端部４を被梱包物の積み重ね面間に形成される隙間に挟み込んで仮に固定しながら梱包バンド１を被梱包物に巻き回し、係止突起５を係止孔６に強嵌して被梱包物が荷崩れしないように固定して成る梱包バンド。
【請求項２】
係止突起５及び係止孔６による係着手段に替え梱包バンド１の一端部と適所の重ね合わせ部位に、それぞれ雌雄嵌合するベルクロ７を設けて成る請求項１記載の梱包バンド。    
【考案の詳細な説明】
【技術分野】
【０００１】
本考案は、積み上げた多数個の被梱包物に巻き回して安定良く固定し荷崩れすることなく輸送或は積置するための梱包バンドに関する。
【背景技術】
【０００２】
１．  一般に食品等を詰め合わせた多数個のダンボール箱を荷物の集積配送センター等でパレット上に積み上げ、輸送時に荷崩れしないようにストレッチフィルムと通称されているサランラップ（商品名）状の粘着性を有する巻物状の薄版樹脂フィルムを１人の作業員がダンボール箱に巻き回して手早く梱包し、被梱包物を積み上げたパレットをフォークリフト車でトラックへ積み換えている。
【０００３】
２．  被梱包物を梱包バンドで結束し、梱包バンドの両端を互いに熱融着して固定する物品の梱包構造において、開梱予定位置に、熱融着可能な熱接着層をそれぞれ最外層に設けると共に該熱接着層間に手で剥離できる接着力に調整した層間易剥離材料を熱融着によつて介在させた発明がある、例えば特許文献１。
【０００４】
３．  大きな梱包物を一人で容易に梱包作業ができる梱包バンドとして、バンド本体の両端を係止する係止具を、方形枠状の枠部と該枠部と一体の２個の引掛部とから作製し、バンド本体の一端部を二つ折りして引掛部に引掛けると共にバンド本体または係止具の一部に粘着剤層を設け、一方の引掛部に二つ折りされたバンド本体の一端部を引掛け、バンド本体の端部近くに設けられた粘着剤層を梱包物の外壁に仮止めし、バンド本体を梱包物の外壁に沿って一周させ、バンド本体の他端部を係止具の他方の引掛部に引掛け、バンド本体の一端を引き締めて梱包している発明がある、例えば特許文献２。
【特許文献１】特開平５ー３１０２０７号公報
【特許文献２】特開平１０ー２５８８７１号公報
【考案の開示】
【考案が解決しようとする課題】
【０００５】
１．  ストレッチフィルムを多数個のダンボール箱に巻き回して一体に梱包した場合、被梱包物からストレッチフィルムを除去し個々のダンボール箱に開梱するときストレッチフィルムがダンボール箱に吸着しているため引き破つて開梱せざるを得ずストレッチフィルムの再使用ができない。また、被梱包物がダンボール箱のように角立っていると、その角部においてストレッチフィルムが弛緩し勝ちであり、弛緩しないように巻き回すには熟練を要する。
【０００６】
２．  特開平５ー３１０２０７号公報に係る発明は、梱包バンドに設けた熱接着層に手で剥離できる接着力の弱い層間易剥離材料を介在させているため、梱包バンド本体を梱包時に強く引き締めると層間易剥離材料を塗布した部分から分離する恐れがあり、更に梱包バンドを被梱包物に対し圧着力の強い弾縮性部材で構成することは困難である。
【０００７】
３．  特開平１０ー２５８８７１号公報に係る発明は、特に梱包物の水平方向の周囲にバンド掛けを行なう場合を想定したものであり、バンド本体はテープ状の巾しかなく且つ、その素材は弾縮性に乏しいものであり、またバンド本体の端部に設けた係止具で引き締めるものであるため多数個のダンボール箱を積み上げた被梱包物を斜めに巻き回すとバンド本体が途中で弛緩する恐れがあり、被梱包物を一挙に梱包することは困難である。
【０００８】
本考案は上記の課題を解決するため、梱包バンドを被梱包物に対し圧着力の強いゴム材製の弾縮性素材で構成し、パレット上に積み上げた多数個のダンボール箱等からなる被梱包物を一人の作業員が斜め方向へ襷掛けに巻き回すと共に、梱包バンドの面上に設けている係着部同士を圧着させて被梱包物を一挙に手早く梱包し、係着部同士の圧着を外して梱包を開放し、梱包バンドを繰返し再使用することを目的とする。
【課題を解決するための手段】
【０００９】
図１は本考案に係る梱包バンドを示す一部破断平面図、図２は同、他の実施例を示す平面図、図３は本考案に形成している係着部を示す平面図、図４は図１におけるＸ−Ｘ断面拡大図、図５は図１におけるＹ−Ｙ断面図、図６は本考案に係る梱包バンドの使用状態を示す斜視図である。
【００１０】
梱包バンド１は被梱包物に対し圧着力の強いゴム材製の弾縮性素材で構成し、該素材は一定巾の巻物形態であり、梱包バンド１の肉厚は、一人の作業員が梱包バンド１の末端部４を、パレット８上に積み上げたダンボール箱２間の隙間に挟み込んで仮止めし、ダンボール箱２の外面に沿つて斜めに襷掛けに巻き回しするとき過大な人力を要しないが多数個のダンボール箱２の積み上げ状態を確保し輸送時や積置時に荷崩れしないための伸縮強度を有する肉厚に設定する。また、梱包バンド１は伸縮強度を考慮した重量軽減と材料費削減のため、適所に種々の形態を有する肉盗み穴３を打ち抜き、巻物形態の素材から被梱包物のサイズに応じて適当な長さに切断する。梱包バンド１の一端部にＬ形の係止突起５を多数個列設し梱包バンド１の重ね合わせ部位に係止突起５を強嵌する多数個の係止孔６をパンチングにより穿孔する。係止突起５を列設する部位は係止孔６に強嵌し得るが伸縮性を阻害しない程度の適当な硬度を有する材質とすることが望ましい。また、梱包バンド１を重ね合わせ係着する手段として重ね合わせ部位に、それぞれ雌雄嵌合するベルクロ７を梱包バンド１の一端部と適所に貼着手段により設けることもできるが、接着剤を塗布することは梱包バンド１の伸縮弾性度がかなり強力であることと、逆に重ね合わせ部位を確実に係着させてしまうと梱包バンド１の解放時に剥離が困難になる恐れがあることや、これら双方の要請を充たす技術特性を有する接着剤が将来現出するとしても、現時点では見出し難いため考慮できない。被梱包物の一例であるダンボール箱２をパレット８の上に多数個積み上げ、一人の作業員がその末端部４を被梱包物である例えば食品を収納している多数個のダンボール箱２の積み重ね面間に形成される隙間に挟み込んで仮に固定し、巻物状の梱包バンド１を把持しながら斜め方向へ巻き回し部分的に若干縁部を重ね、特にダンボール箱２の角部には強く圧着させるようにして巻き回すと良い。このようにして荷崩れが生ずる恐れのないダンボール箱２群を積み上げた個々のパレット８をフォークリフト車を用いてトラックへ搬送し積載することは従来通りである。
【考案の効果】
【００１１】
パレット８上に積載した多数個の被梱包物は一体的に荷崩れが生じない状態に確保されトラックによる輸送時に荷物の落下や紛失事故を生ずる恐れがなく、また、倉庫等に荷崩れが生じない状態で安定良く積置でき荷崩れに伴う人身事を未然に防止できる。荷物受領後の梱包バンド１の解き外しも容易であるため作業能率が向上する。更に梱包バンドを繰返し再使用することができる。
【考案を実施するための最良の形態】
【００１２】
梱包バンド１は伸縮強度を考慮した重量軽減と材料費削減のため、適所に種々の形態を有する肉盗み穴３を打ち抜き、巻物形態の素材から被梱包物のサイズに応じて適当な長さに切断し、その末端部４を被梱包物である例えば食品を収納しているダンボール箱２の積み重ね面間に形成される隙間に挟み込んで仮に固定する。梱包バンド１の一端部にＬ形の係止突起５を多数個列設し梱包バンド１の重ね合わせ部位に係止突起５を強嵌する多数個の係止孔６をパンチングにより穿孔する。係止突起５を列設する部位は係止孔６に強嵌し得るが伸縮性を阻害しない程度の適当な硬度を有する材質とすることが望ましい。また、梱包バンド１を重ね合わせ係着する手段として重ね合わせ部位に、それぞれ雌雄嵌合するベルクロ７を梱包バンド１の一端部と適所に貼着手段により設けることもできる。
【産業上の利用可能性】
【００１３】
パレット８の上に積み上げられている多数個の被梱包物は梱包バンド１で一体的に荷崩れが生じない状態に確保され、トラックによる輸送時に荷物の落下や紛失事故を生ずる恐れがなく、また多数個の被梱包物をパレット８上に荷崩れすることなく安定して積置でき、荷物受領後の梱包バンド１の解き外しも容易であるため作業能率が向上する。
【図面の簡単な説明】
【００１４】
【図１】本考案に係る梱包バンドを示す一部破断平面図。
【図２】同、他の実施例を示す平面図。
【図３】本考案に形成している係着部を示す平面図。
【図４】図１におけるＸ−Ｘ断面拡大図。
【図５】図１におけるＹ−Ｙ断面図。
【図６】本考案に係る梱包バンドの使用状態を示す斜視図。
【符号の説明】
【００１５】
１    梱包バンド    ２    ダンボール箱    ３    肉盗み穴
４    梱包バンドの末端部    ５    係止突起    ６    係止孔
７    ベルクロ
【図１】
0003130676.tif 000003
【図２】
0003130676.tif 000004
【図３】
0003130676.tif 000005
【図４】
0003130676.tif 000006
【図５】
0003130676.tif 000007
【図６】
0003130676.tif 000008